(57)【要約】  【課題】  空気調和機の室外ユニットにおいて、機内圧力損失の低減による送風音の抑制効果の高い電気品箱配置構造を提案する。  【解決手段】  ケーシング２の側面２ａに設けられた吸込口３に臨んで熱交換器５を配置するとともに、ケーシング２の上面２ｂに設けられた吹出口４に臨んで軸流ファン６を配置した空気調和機の室外ユニットにおいて、軸流ファン６の直下に電気品箱１０を配置する。係る構成によれば、軸流ファン６の直下部位は該軸流ファン６の吸い込み形態からして元々流速の低い部位であることから、該軸流ファン６の直下に電気品箱１０が配置されていても該電気品箱１０の存在が空気流の流通抵抗に与える影響は極めて少なく、その結果、機内圧力損失を低く抑えて送風音の低減を図ることが可能となり、延いては室外ユニットの商品価値の向上に寄与し得る。【選択図】        図１
2005300083.tif 000002
【特許請求の範囲】
【請求項１】
ケーシング（２）の側面（２ａ）に設けられた吸込口（３）に臨んで熱交換器（５）を配置するとともに、上記ケーシング（２）の上面（２ｂ）に設けられた吹出口（４）に臨んで軸流ファン（６）を配置してなる空気調和機の室外ユニットであって、
上記軸流ファン（６）の直下に電気品箱（１０）を配置したことを特徴とする空気調和機の室外ユニット。
【請求項２】
請求項１において、
上記電気品箱（１０）が上記軸流ファン（６）に連結されたモータ（７）の直下に配置されていることを特徴とする空気調和機の室外ユニット。
【請求項３】
請求項１又は２において、
上記電気品箱（１０）が上記モータ（７）を支持するステー（８）に取り付けられていることを特徴とする空気調和機の室外ユニット。
【請求項４】
請求項３において、
上記電気品箱（１０）が上記ステー（８）に沿って移動可能とされていることを特徴とする空気調和機の室外ユニット。
【請求項５】
請求項１，２，３又は４において、
上記電気品箱（１０）の表面に放熱手段（１３）が設けられていることを特徴とする空気調和機の室外ユニット。
【請求項６】
請求項５において、
上記放熱手段（１３）が放熱フィン（１３）であることを特徴とする空気調和機の室外ユニット。
【発明の詳細な説明】
【技術分野】
【０００１】
本願発明は、側面吸込み・上面吹出し方式の空気調和機用室外ユニットの構造に関するものである。
【背景技術】
【０００２】
例えば、ビル用空気調和機の室外ユニットにおいては、側面吸込み・上面吹出し方式を採用することが多い（例えば、特許文献１参照）。
【０００３】
ところで、このような室外ユニットにおいては、縦長のケーシングの前面に吸込口を形成し該吸込口に臨んで熱交換器を配置する一方、該ケーシングの上面に吹出口を設け、該吹出口に臨んでモータ駆動の軸流ファンを、その軸心を上下方向へ向けた状態で配置し、上記吸込口から吸い込んだ空気を上記熱交換器を通過させた後、上記吹出口から上方へ吹き出すようになっている。
【０００４】
一方、室外ユニットにおいては、ユニット制御機器等を収納した電気品箱を上記ケーシング内に配置しているが、係る電気品箱の配置は上記吸込口から吹出口に向けて流れる空気流の流通抵抗となり、機内圧力損失が増大し、延いては送風音の増大のいつながることから、電気品箱が存在することによる影響を可及的に減少させるべく、電気品箱の上記ケーシング内での配置位置を考慮することが必要である。
【０００５】
このことから、上掲の特許文献１に記載の室外ユニットにおいては、電気品箱を、上記ケーシングの上記吸込口に対向し且つ該吸込口から遠い位置にある背面壁に設けるようにしている。
【０００６】
【特許文献１】特開２００３−１３０３９４号公報（段落「００１５」〜「００１７」、図１、図３）。
【発明の開示】
【発明が解決しようとする課題】
【０００７】
ところが、このように電気品箱をケーシングの吸込口に対向し且つ該吸込口から遠い位置にある背面壁に設ける構成とした場合、空気流の流通抵抗を低減させて機内圧力損失を抑えるという点においてそれなりの効果は期待できるものの、満足できるほどのものではなかった。
【０００８】
即ち、ケーシングの吸込口に対向する背面壁側は、該吸込口から横方向に吸い込まれた空気流が上方の吹出口に向けて大きく偏向する部位に対応することから、該背面壁近傍での空気流の流速は大きく、従って、この背面壁に電気品箱が取り付けられていると、この電気品箱が空気流の流通抵抗に及ぼす影響は看過し難いものとなり、その結果、機内圧力損失の低減による送風音の抑制という点において不満の残るものとなる。
【０００９】
そこで、本願発明では、機内圧力損失の低減による送風音の抑制効果の高い電気品箱配置構造を備えた空気調和機の室外ユニットを提案することを目的としてなされたものである。
【課題を解決するための手段】
【００１０】
本願発明ではかかる課題を解決するための具体的手段として次のような構成を採用している。
【００１１】
本願の第１の発明では、ケーシング２の側面２ａに設けられた吸込口３に臨んで熱交換器５を配置するとともに、上記ケーシング２の上面２ｂに設けられた吹出口４に臨んで軸流ファン６を配置してなる空気調和機の室外ユニットにおいて、上記軸流ファン６の直下に電気品箱１０を配置したことを特徴としている。
【００１２】
本願の第２の発明では、上記第１の発明に係る空気調和機の室外ユニットにおいて、上記電気品箱１０を上記軸流ファン６に連結されたモータ７の直下に配置したことを特徴としている。
【００１３】
本願の第３の発明では、上記第１又は第２の発明に係る空気調和機の室外ユニットにおいて、上記電気品箱１０を、上記モータ７を支持するステー８に取り付けたことを特徴としている。
【００１４】
本願の第４の発明では、上記第３の発明に係る空気調和機の室外ユニットにおいて、上記電気品箱１０を上記ステー８に沿って移動可能としたことを特徴としている。
【００１５】
本願の第５の発明では、上記第１、第２、第３又は第４の発明に係る空気調和機の室外ユニットにおいて、上記電気品箱１０の表面に放熱手段１３を設けたことを特徴としている。
【００１６】
本願の第６の発明では、上記第５の発明に係る空気調和機の室外ユニットにおいて、上記放熱手段１３を放熱フィン１３で構成したことを特徴としている。
【発明の効果】
【００１７】
本願発明では次のような効果が得られる。
【００１８】
（ａ）  本願の第１の発明に係る空気調和機の室外ユニットによれば、ケーシング２の側面２ａに設けられた吸込口３に臨んで熱交換器５を配置するとともに、上記ケーシング２の上面２ｂに設けられた吹出口４に臨んで軸流ファン６を配置してなる空気調和機の室外ユニットにおいて、上記軸流ファン６の直下に電気品箱１０を配置しているので、該軸流ファン６の直下部位は該軸流ファン６の吸い込み形態からして元々流速の低い部位であることから、該軸流ファン６の直下に電気品箱１０が配置されていても該電気品箱１０の存在が空気流の流通抵抗に与える影響は極めて少なく、その結果、機内圧力損失を低く抑えて送風音の低減を図ることが可能となり、延いては室外ユニットの商品価値の向上に寄与し得ることになる。
【００１９】
（ｂ）  本願の第２の発明に係る空気調和機の室外ユニットによれば、上記（ａ）に記載の効果に加えて次のような特有の効果が得られる。即ち、この発明では、上記電気品箱１０を上記軸流ファン６に連結されたモータ７の直下に配置しているので、該モータ７と上記電気品箱１０が上下方向において一体化されたような状態となり、上記軸流ファン６の直下に配置せざるを得ない上記モータ７による流通抵抗と、上記電気品箱１０による流通抵抗が幾分か相殺され、例えば、これら両者が別々に配置されてこれらそれぞれによる流通抵抗が合算されるような場合に比して、上記電気品箱１０を配置したことによる室外ユニット全体としての流通抵抗が減少し、その結果、上記（ａ）に記載の効果の実現がより一層確実となる。
【００２０】
（ｃ）  本願の第３の発明に係る空気調和機の室外ユニットによれば、上記（ａ）又は（ｂ）に記載の効果に加えて次のような特有の効果が得られる。即ち、この発明では、上記電気品箱１０を、上記モータ７を支持するステー８に取り付けているので、例えば、上記電気品箱１０を支持するために別途にステーを設置する必要がなく、該電気品箱１０の設置に伴う部品点数の増加、及び製造コストの上昇がなく、その結果、機内圧力損失が低く送風音の少ない空気調和機をより安価に提供できることになる。
【００２１】
（ｄ）  本願の第４の発明に係る空気調和機の室外ユニットによれば、上記（ｃ）に記載の効果に加えて次のような特有の効果が得られる。即ち、この発明では、上記電気品箱１０を上記ステー８に沿って移動可能としているので、室外ユニットの運転状態においては上記軸流ファン６が平面視において上記ケーシング２の軸心近くに位置していても、室外ユニットのメンテナンス時には上記電気品箱１０を上記ステー８に沿って移動させて該ケーシング２の点検扉の近くに位置させることで、該電気品箱１０のメンテナンスを容易に行なうことができ、その結果、室外ユニットの運転時における低送風音化とメンテナンス時における作業性の向上とを両立させることができる。
【００２２】
（ｅ）  本願の第５の発明に係る空気調和機の室外ユニットによれば、上記（ａ）、（ｂ）、（ｃ）又は（ｄ）に記載の効果に加えて次のような特有の効果が得られる。即ち、この発明では、上記電気品箱１０の表面に放熱手段１３を設けているので、該電気品箱１０の配置部位が、上記軸流ファン６の直下で元々空気流の流速の低い部位、換言すれば、空気流による放熱性が低い部位であっても、上記放熱手段１３の放熱作用によって該電気品箱１０の放熱性が良好に維持され、延いては該電気品箱１０に収容された電気品の熱影響による誤作動等を未然に且つ確実に防止して上記室外ユニットの運転上の信頼性を高めることができる。
【００２３】
（ｆ）  本願の第６の発明に係る空気調和機の室外ユニットによれば、上記放熱手段１３を放熱フィン１３で構成しているので、上記電気品箱１０の表面への上記放熱フィン１３の設置という極めて簡単且つ安価な構成によって上記（ｅ）に記載の効果を確実に得ることができる。
【発明を実施するための最良の形態】
【００２４】
以下、本願発明を好適な実施形態に基づいて具体的に説明する。
【００２５】
図１及び図２には、本願発明の実施形態に係る空気調和機の室外ユニット１を示している。この室外ユニット１は、矩形断面形状をもつ縦長形態で、且つその一側面２ａに縦長開口でなる吸込口３を、その上面２ｂの円形開口でなる吹出口４を、それぞれ形成したケーシング２を備えている。
【００２６】
そして、このケーシング２内に、上記吸込口３に臨んで熱交換器５を、また上記吹出口４に臨んで軸流ファン６を、それぞれ配置するとともに、底部には一つ又は二つの圧縮機９，９を配置して構成される。
【００２７】
また、上記軸流ファン６は、モータ７によって駆動されるものであって、上記ケーシング２の上部に横架状態で取り付けられた二本のステー８，８に上記モータ７を固定することで該ケーシング２側に取り付けられている。
【００２８】
さらに、上記モータ７の直下には、電気品箱１０が配置されている。この電気品箱１０は、図３に示すように、縦長の矩形箱状形態をもち且つその一側面を開閉自在の蓋体１２としたものであって、該蓋体１２を除く三側面にそれぞれ縦方向に延びる帯板状の放熱フィン１３（特許請求の範囲中の「放熱手段」を構成する）を横方向に所定間隔で複数枚取り付けると共に、その上面には所定間隔をもって左右一対の掛止具１４，１４を取り付けている。
【００２９】
そして、上記電気品箱１０は、上記各掛止具１４，１４を上記ケーシング２側の上記各ステー８，８に掛止することで、該各ステー８，８に沿って上記ケーシング２内を水平方向に移動可能に支持されている。尚、この電気品箱１０は、該電気品箱１０又は上記掛止具１４と上記ステー８の間に設けられた固定手段（図示省略）によって、少なくとも上記モータ７の直下位置と上記ケーシング２の側面に設けられた点検開口（図示省略）に近接した位置において固定保持可能とされている。
【００３０】
このように、上記電気品箱１０を上記軸流ファン６の直下に位置する上記モータ７の下側に配置することで、以下のような実用上極めて有用な作用効果が得られるものである。
【００３１】
即ち、この実施形態の室外ユニットによれば、上記軸流ファン６の直下に上記電気品箱１０を配置しているが、この軸流ファン６の直下部位は該軸流ファン６の吸い込み形態からして元々流速の低い部位であることから、該軸流ファン６の直下に電気品箱１０が配置されていても該電気品箱１０の存在が空気流の流通抵抗に与える影響は極めて少なく、その結果、機内圧力損失を低く抑えて送風音の低減を図ることが可能となり、延いては室外ユニット１の商品価値が向上することにもなる。
【００３２】
また、この場合、上記電気品箱１０を、上記軸流ファン６の直下でも、特に該軸流ファン６に連結されその下側に位置する上記モータ７の直下に配置しているが、このような配置構成とした場合には、該モータ７と上記電気品箱１０が上下方向において一体化されたような状態となることから、元々上記軸流ファン６の直下に配置せざるを得ない上記モータ７による流通抵抗と上記電気品箱１０による流通抵抗が幾分か相殺され、例えば、これら両者が別々に配置されてこれらそれぞれによる流通抵抗が合算されるような場合に比して、上記電気品箱１０を配置したことによる室外ユニット全体としての流通抵抗が減少し、その結果、上記効果の実現がより一層確実となるものである。
【００３３】
さらに、上記室外ユニットでは、上記電気品箱１０を、上記モータ７を支持するために元々設けられている上記テー８に取り付けているので、例えば、上記電気品箱１０を支持するために別途にステーを設置する必要がなく、それだけ電気品箱１０の設置に伴う部品点数の増加、及び製造コストの上昇が抑制され、その結果、機内圧力損失が低く送風音の少ない空気調和機をより安価に提供できる。
【００３４】
また、上記室外ユニットでは、上記電気品箱１０を上記ステー８に沿って移動可能に取り付けているので、例えば、室外ユニット１の運転状態においては上記軸流ファン６が平面視において上記ケーシング２の軸心近くに位置していても、室外ユニット１のメンテナンス時には上記電気品箱１０を上記ステー８に沿って移動させて該ケーシング２の点検扉の近くに位置させることで、該電気品箱１０のメンテナンスを容易に行なうことができ、これらの相乗効果として、室外ユニットの運転時における低送風音化とメンテナンス時における作業性の向上との両立が可能となるものである。
【００３５】
さらに、上記室外ユニット１では、上記電気品箱１０の表面に放熱フィン１３を設けているので、該電気品箱１０の配置部位が、上記軸流ファン６の直下で元々空気流の流速の低い部位、換言すれば、空気流による放熱性が低い部位であっても、上記放熱フィン１３の放熱作用によって該電気品箱１０の放熱性が良好に維持され、延いては該電気品箱１０に収容された電気品の熱影響による誤作動等を未然に且つ確実に防止して上記室外ユニット１の運転上の信頼性を高めることができる。
【図面の簡単な説明】
【００３６】
【図１】本願発明の実施の形態に係る室外ユニットの断面図である。
【図２】図１のＩＩ−ＩＩ矢視図である。
【図３】図１に示した電気品箱の斜視図である。
【符号の説明】
【００３７】
１      ・・室外ユニット
２      ・・ケーシング
３      ・・吸込口
４      ・・吹出口
５      ・・熱交換器
６      ・・軸流ファン
７      ・・モータ
８      ・・ステー
９      ・・圧縮機
１０    ・・電気品箱
１１    ・・箱本体
１２    ・・蓋体
１３    ・・放熱フィン
１４    ・・掛止具
【図１】
2005300083.tif 000003
【図２】
2005300083.tif 000004
【図３】
2005300083.tif 000005